(57)【要約】      （修正有）【課題】自転車の乗物に於ける交通安全対策上自転車のカゴ等に装着する反射具を提供する。【解決手段】表面に光反射面１を備えた四角状の反射盤２と、指先で折曲可能な性質を備えた鉄製鈑３に於いて反射盤２の裏面で横長方向中央部に貼着する貼着板面４を備えると共に反射盤２の両側よりはみ出した取付片５，５を設けた取付部材と、貼着板面４の裏面と貼着板面４を貼着していない反射盤２の裏面に貼着する裏貼着板７とより成り、反射盤２の裏面の横長方向中央部と取付部材の貼着板面４を第１貼着材で貼着すると共に貼着板面４の裏面と貼着板面４が存在しない反射盤２の裏面とを第２貼着材を介して裏貼着板７を貼着したことを特徴としている。【選択図】図１
0003143509.tif 000002
【実用新案登録請求の範囲】
【請求項１】
表面に光反射面１を備えた四角状の反射盤２と、指先で折曲可能な性質を備えた鉄製鈑３に於いて前記反射盤２の裏面で横長方向中央部に貼着する貼着板面４を備えると共に反射盤２の両側よりはみ出した取付片５，５を貼着板面４に連設して形成した取付部材６と、前記貼着板面４の裏面と貼着板面４を貼着していない反射盤２の裏面に貼着する裏貼着板７とより成り、更に反射盤２の裏面の横長方向中央部と取付部材６の貼着板面４を第１貼着材８で貼着すると共に貼着板面４の裏面と貼着板面４が存在しない反射盤２の裏面とを第２貼着材９を介して裏貼着板７を貼着したことを特徴とする自転車のカゴ等に装着する反射具。
【考案の詳細な説明】
【技術分野】
【０００１】
この考案は、自転車の乗物に於ける交通安全対策上自転車のカゴ等に装着する反射具に関するものである。
【背景技術】
【０００２】
従来、自転車のカゴ等に反射具を取り付けて、その反射光によって自動車運転等の交通に際して安全性を高めるようにすることは極めて普通に知られているものである。
【０００３】
ところで、その反射具を自転車のカゴ等に取り付けることが極めて面倒な手段を必要とし、また更にその反射具の構造が極めて複雑であって、使用者に安価に提供することができない等の欠点があった。
【特許文献１】実用新案公開平６−８１８８４号公報参照
【考案の開示】
【考案が解決しようとする課題】
【０００４】
この考案は上記の問題点を解決したもので、自転車のカゴ等に装着が極めて容易簡便にできるものであつて、夜間においては路上で自動車等に於ける照明の光を適確に反射して安全に寄与するものであり、更に構造が簡単であって面倒な製作手段を必要としないので安価に提供できて使用上極めて好適な自転車のカゴ等に装着する反射具を得ることを目的としたものである。
【課題を解決するための手段】
【０００５】
上記の目的を達成するためこの考案の自転車のカゴ等に装着する反射具１２は、表面に光反射面１を備えた四角状の反射盤２と、指先で折曲可能な性質を備えた鉄製鈑３に於いて前記反射盤２の裏面で横長方向中央部に貼着する貼着板面４を備えると共に反射盤２の両側よりはみ出した取付片５，５を貼着板面４に連設して形成した取付部材６と、前記貼着板面４の裏面と貼着板面４を貼着していない反射盤２の裏面に貼着する裏貼着板７とより成り、更に反射盤２の裏面の横長方向中央部と取付部材６の貼着板面４を第１貼着材８で貼着すると共に貼着板面４の裏面と貼着板面４が存在しない反射盤２の裏面とを第２貼着材９を介して裏貼着板７を貼着して形成したものである。
【考案の効果】
【０００６】
この考案は以上のような構成であり、表面に光反射面１を備えた四角状の反射盤２と、指先で折曲可能な性質を備えた鉄製鈑３に於いて前記反射盤２の裏面で横長方向中央部に貼着する貼着板面４を備えると共に反射盤２の両側よりはみ出した取付片５，５を連設して形成した取付部材６と、前記貼着板面４の裏面と貼着板面４を貼着していない反射盤２の裏面に貼着する裏貼着板７とより成り、更に反射盤２の裏面の横長方向中央部と取付部材６の貼着板面４を第１貼着材８で貼着すると共に貼着板面４の裏面と貼着板面４が存在しない反射盤２の裏面とを第２貼着材９を介して裏貼着板７を貼着して自転車のカゴ等に装着する反射具１２を構成したことによって構造が極めて簡単であり、複雑な手段を要することなく極めて安価に使用者に提供できるものである。
【０００７】
即ち、この考案の表面に光反射面１を備えた四角状の反射盤２は一般に市販されている反射盤を適宜に裁断して形成したもの、大量生産に適してに安価に反射盤２を得ることができるものである。
【０００８】
又この考案の、取付部材６は、指先で折曲可能な性質を備えた鉄製鈑３を素材としたものに於いて前記反射盤２の裏面で横長方向中央部に貼着する貼着板面４を備えると共に反射盤２の両側よりはみ出した取付片５，５を設けて形成したことによって一般に市販されている指先で折曲可能な性質を備えた鉄製鈑を裁断機を介して打ち抜き形成することによって大量生産に適して安価な取付部材６を形成することができるものである。
【０００９】
又貼着板面４の裏面と貼着板面４を貼着していない反射盤２の裏面に貼着する裏貼着板７を形成し、更に反射盤２の裏面の横長方向中央部と取付部材６の貼着板面４を第１貼着材８で貼着すると共に貼着板面４の裏面と貼着板面４が存在しない反射盤２の裏面とを第２貼着材９を介して裏貼着板７を貼着したことによって、反射盤２と取付部材と裏貼着板７とが強固に貼着されて妄りに分離破損しないこの考案品の自転車のカゴ等に装着する反射具１２を形成することができるものであり、長期の使用に耐えうるものである。
【００１０】
又この考案の使用に際しての取付けは、図６に図示したように取付部材６の取付片５，５を指先でＵ字状に折曲して、その取付片５，５を自転車カゴ１０に於ける取付孔部１１，１１に挿入し、更に図７に図示したように取付片５，５を内側に指先で折り曲げることによってカゴ１０に対する取付を面倒な手段を要せず簡便で確実に行うことができるものである。
【００１１】
以上のようにこの考案は自転車に於けるカゴ１０に対する取付を極めて簡便に行うことができると共に夜間においては路上で自動車等に於ける照明の光を適確に反射して自転車等の存在を自動車運転者に知らせることが出来て安全で且つ事故の発生を未然に阻止して安全交通にに寄与するものであり、更に構造が簡単であって面倒な製作手段を必要としないので安価に提供できて使用上極めて好適な自転車のカゴ等に装着する反射具１２を得ることができるようにした優れた効果を奏するものであり、又更に自転車のカゴ１０のみに取り付けることなく、取付片５，５を内側に折り曲げて取付けることができる箇所、例えばず図５に図示した自転車のタイヤカバー部１３にも取付けることが簡単で交通上安全に寄与する優れた効果を奏するものである。
【考案を実施するための最良の形態】
【００１２】
以下、この考案の実施の形態を図１〜図７に基いて説明する。
【実施例１】
【００１３】
この考案は、表面に光反射面１を備えた四角状の反射盤２と、指先で積極可能な性質を備えた鉄製鈑３に於いて前記反射盤２の裏面で横長方向中央部に貼着する貼着板面４を備えると共に反射盤２の両側よりはみ出した取付片５，５を設けた取付部材６と、前記貼着板面４の裏面と貼着板面４を貼着していない反射盤２の裏面に貼着する透明の裏貼着板７とより成り、更に反射盤２の裏面の横長方向中央部と取付部材６の貼着板面４を第１貼着材８で貼着すると共に貼着板面４の裏面と貼着板面４が存在しない反射盤２の裏面とを第２貼着材９を介して透明の裏貼着板７を貼着して自転車のカゴ等に装着する反射具１２を形成したものである。
【００１４】
又、この考案は、表面に光反射面１を備えた四角状の反射盤２と、指先で折曲可能な性質を備えた鉄製鈑３に於いて前記反射盤２の裏面で横長方向中央部に貼着する貼着板面４を備えると共に反射盤２の両側よりはみ出した取付片５，５を設けた取付部材６と、前記貼着板面４の裏面と貼着板面４を貼着していない反射盤２の裏面に貼着する裏貼着板７とより成り、更に反射盤２の裏面の横長方向中央部と取付部材６の貼着板面４を第１貼着材８で貼着すると共に貼着板面４の裏面と貼着板面４が存在しない反射盤２の裏面とを第２貼着材９を介して裏貼着板７を貼着したものであるが、裏貼着板７を透明の強靱な素材、例えば合成樹脂製シートで形成したことにより、反射盤２と取付部材６の貼着板面４とが強固に固定しているかを目視することができ使用中に取付部材６と反射盤２とが妄りに離れる等の支障を確実に阻止することができるものである。
【００１５】
又、この考案の自転車のカゴ等に装着する反射具１２は図５に図示したように自転車のタイヤカバー部１３の内側に取付片５，５を折曲することによって自転車のカゴ１０以外のタイヤカバー部１３にも簡単に取り付けることもできるものである。
【図面の簡単な説明】
【００１６】
【図１】この考案の一部を切欠した上面図である。
【図２】この考案の底面図である。
【図３】図２に於けるＡ−Ａ断面図である。
【図４】図２に於ける一部を切欠したＢ−Ｂ断面図である
【図５】この考案品を自転車のカゴ等に装着した状態を示した斜視図である。
【図６】この考案品をカゴに装着する状態を示した中途説明図である。
【図７】この考案品をカゴに装着した状態を示した説明図である。
【符号の説明】
【００１７】
１  光反射面
２  反射盤
３  鉄製鈑
４  貼着板面
５  取付片
６  取付部材
７  裏貼着板
８  第１貼着材
９  第２貼着材
１０  カゴ
１１  取付孔部
１２  反射具
１３  タイヤカバー部
【図１】
0003143509.tif 000003
【図２】
0003143509.tif 000004
【図３】
0003143509.tif 000005
【図４】
0003143509.tif 000006
【図５】
0003143509.tif 000007
【図６】
0003143509.tif 000008
【図７】
0003143509.tif 000009